【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
結合部材間におけるスナップ結合システムであって、
雄結合部材と雌結合部材とを備え、
前記雄結合部材が、第１端部、第２端部、および少なくとも囲壁を有し、該囲壁の結合面で少なくとも保持タブが、この囲壁の面に対してある角度で持ち上げられているとともに、保持エッジを有しており、
前記雌結合部材が、この雌結合部材の壁に形成された少なくとも１つのスロットまたは開口部を有する少なくとも１つの壁を備えており、その中間部分において、前記雄結合部材の前記保持タブを瞬時に屈曲させ、密接した状態で前記スロットまたは前記開口部を貫通させ、かつ、元の位置に戻して、該保持タブの保持エッジを保持させて、前記スロットまたは前記開口部のエッジに対して、前記雄結合部材および前記雌結合部材を、「Ｔ」型、十字（「＋」）型または角度をなす型に結合させる、スナップ結合システム。
【請求項２】
前記雄結合部材および前記雌結合部材が管状であり、四角形断面を有する管状の前記雌結合部材と「Ｔ」型に結合される、四角形断面を有する管状の前記雄結合部材は、
第１および第２端部と、
第１側壁および第２側壁と、
上部壁および下部壁と、
管状の前記雄結合部材の前記第１側壁の前記第１端部から延びる第１突出部と、を備え、該第１突出部は、この第１突出部において切り込みが入れられており、管状の前記雄結合部材の前記第２端部の方に向けられ、かつ管状の前記雄結合部材から外側にまたは内側に向かってある角度で持ち上げられた、保持エッジを有する保持タブを備えた請求項１に記載のスナップ結合システム。
【請求項３】
前記雄結合部材および前記雌結合部材が管状であり、四角形断面を有する管状の前記雌結合部材と十字「＋」型に結合される、四角形断面を有する管状の前記雄結合部材は、
第１側壁および第２側壁と、
上部壁および下部壁と、
前記第１および第２側壁それぞれの中間部分で横断的にカットされ、各々が前記下部壁のエッジから前記上部壁に向かって延びる、第１および第２平行スロットと、
前記第１および第２側壁それぞれにおいてスロットの間でカットされ、前記下部壁から前記上部壁に向かって延び、各々が保持エッジを有する第１保持タブおよび第２保持タブと、
をさらに備える、請求項１に記載のスナップ結合システム。
【請求項４】
前記雄結合部材および前記雌結合部材が管状であり、円形断面を有する管状の前記雌結合部材と十字「＋」型に結合される、四角形断面を有する管状の前記雄結合部材は、
第１側壁および第２側壁と、
上部壁および下部壁と、
互いに平行となる第１保持タブおよび第２保持タブであって、これらの両方が前記側壁の中間部分で横断的に切り込みが入れられ、前記上部壁のエッジから前記下部壁に向かって延びた、保持エッジをそれぞれ有している第１および第２保持タブと、
前記上部壁における四角形カットであって、前記第１および第２保持タブの上方に位置しており、この四角形カットを通って、管状の前記雌結合部材を、管状の前記雄結合部材に入れることができるようにする、四角形カットと、を備える、請求項１に記載のスナップ結合システム。
【請求項５】
前記雄結合部材および前記雌結合部材が管状であり、四角形断面を有する管状の前記雌結合部材と十字「＋」型に結合される、円形断面を有する管状の前記雄結合部材は、
第１端部および第２端部と、
管状の雄結合部材の湾曲した面において同じように切りこみが入れられ、かつ管状の該雄結合部材から外側に向かってある角度で持ち上げられた、保持エッジを有する保持タブを含む第１突出部と、
管状の雄結合部材の湾曲した面において同じように切りこみが入れられ、かつ管状の該雄結合部材から外側に向かってある角度で持ち上げられた、保持エッジを有する保持タブを含む第２突出部と、を備える、請求項１に記載のスナップ結合システム。
【請求項６】
前記雄結合部材および前記雌結合部材が管状であり、円形断面を有する管状の前記雌結合部材と十字「＋」型に結合される、円形断面を有する管状の前記雄結合部材は、
第１および第２端部と、
管状の前記雄結合部材の湾曲した面において互いに対向する第１スロットおよび第２スロットであって、この管状の雄結合部材の中間部分で、この管状の雄結合部材の本体の約１／３まで横断的に延び、かつこの管状の雄結合部材から外側に向かってある角度で持ち上げられ、各々が保持エッジを有する、第１スロットおよび第２スロットと、を備える、請求項１に記載のスナップ結合システム。
【請求項７】
前記雄結合部材および前記雌結合部材が管状であり、四角形断面を有する管状の前記雄結合部材と「Ｔ」型に結合される、四角形断面を有する管状の前記雌結合部材は、
第１端部および第２端部と、
第１側壁および第２側壁と、
上部壁および下部壁と、
各々が、管状の前記雌結合部材の第１側壁の幅方向に対して垂直に延び、前記第１スロットと第２スロットとの間の距離が、この管状の雄結合部材が有する第１突出部と第２突出部との間の距離と同じとなる、第１および第２平行横断スロットと、を備える請求項１または２に記載のスナップ結合システム。
【請求項８】
前記雄結合部材および前記雌結合部材が管状であり、四角形断面を有する管状の前記雄結合部材と十字「＋」型に結合される、四角形断面を有する管状の前記雌結合部材は、
第１側壁および第２側壁と、
上部壁および下部壁と、
各々が前記上部壁から前記下部壁に向けて延びており、前記第１および第２側壁において切りこみが入れられた、互いに平行となる第１横断スロットおよび第２横断スロットと、
前記上部壁における四角形カットと、を備え、
この四角形カットは、四角形断面を有する管状の前記雄結合部材を、前記第１および第２横断スロット間に入れることができるように、前記上部壁のエッジに対して、この管状の雄結合部材が有する前記保持タブの保持エッジを、前記四角形カットの側面でロックし、この管状の雄結合部材を、この管状の雌結合部材と十字「＋」型に結合したままとする請求項１または３に記載のスナップ結合システム。
【請求項９】
前記雄結合部材および前記雌結合部材が管状であり、四角形断面を有する管状の前記雄結合部材と「＋」型に結合される、円形断面を有する管状の前記雌結合部材は、
第１端部および第２端部と、
内側面および外側面と、
四角形状断面を有する管状の雄結合部材を受け入れることができるようにするための、中間部分での四角形カットと、を備え、
管状の雄結合部材の保持タブの保持エッジが、四角形カットの側面で、前記内側面のエッジに対してロックし、この管状の雄結合部材を、管状の雌結合部材と十字「＋」型に結合したままとする、請求項１または４に記載のスナップ結合システム。
【請求項１０】
前記雄結合部材および前記雌結合部材が管状であり、円形断面を有する管状の前記雄結合部材と十字「＋」型に結合される、四角形断面を有する管状の前記雌結合部材は、
第１端部および第２端部と、
各々が内側面および外側面を有する第１側壁および第２側壁、ならびに上部壁および下部壁と、
管状の前記雌結合部材の中間部分における前記下部壁内の四角形カットであって、円形断面を有する管状の前記雄結合部材の前記第１および第２スロットと同じ幅を有する、四角形カットと、を備える請求項１または５に記載のスナップ結合システム。
【請求項１１】
前記雄結合部材および前記雌結合部材が管状であり、四角形断面を有する管状の前記雄結合部材と「Ｔ」型に結合される、円形断面を有する管状の前記雌結合部材は、
内側面および外側面と、
第１端部および第２端部と、
第１および第２平行横断スロットと、を備え、
前記第１および第２平行横断スロットは、管状の前記雌結合部材の中間部分で、互いの間の高さが同じ高さとなるように整列され、各々が、管状の前記雌結合部材の壁の幅方向に対して垂直に延びており、この第１平行横断スロットと第２平行横断スロットとの間の距離が、四角形断面を有する管状の前記雄結合部材の前記第１突出部と第２突出部との間の距離と同じとなる請求項１に記載のスナップ結合システム。
【請求項１２】
前記雄結合部材および前記雌結合部材が管状であり、円形断面を有する管状の前記雄結合部材と十字「＋」型に結合される、円形断面を有する管状の前記雌結合部材は、
第１端部および第２端部と、
管状の前記雌結合部材の中間部分における円形カットと、を備え、
前記円形カットは、円形断面を有する管状の前記雄結合部材の保持スロットと同じ幅を有する請求項１または６に記載のスナップ結合システム。
【請求項１３】
フェンスに組立てられる、四角形断面を有する複数の管状の結合部材で用いるための、請求項１に記載の、管状の結合部材間におけるスナップ結合システムであって、
四角形断面を有する管状の雄結合部材と、四角形断面を有する管状の雌結合部材とを備え、
前記雄結合部材は、
第１端部および第２端部と、
第１側壁および第２側壁と、
前壁および後壁と、
前記第１および第２側壁において切り込みが入れられており、管状の前記雄結合部材の第２端部の方に向かい、かつ管状の前記雄結合部材から外側に向かってある角度で持ち上げられた、それぞれが保持スロットを有する、第１および第２保持スロットと、
前記第１および第２保持スロットと対向する第３および第４保持スロットであって、前記上部壁および下部壁に切り込みが入れられており、管状の前記雄結合部材の前記第１端部の方に向かい、かつ管状の前記雄結合部材から外側に向かってある角度で持ち上げられた、それぞれが保持エッジを有する、第３および第４保持スロットと、
を有しており、
前記雌結合部材は、
第１端部および第２端部と、
第１および第２側壁と、
上部壁および下部壁と、
管状の前記雌結合部材の中間部分で、この管状の雌結合部材の前記上部壁および下部壁と交差する貫通四角形カットと、
を備え、
管状の前記雄結合部材の前記側壁、前記上部壁、前記下部壁の前記第１、第２、第３および第４保持タブが、瞬時に屈曲された状態で、管状の前記雌結合部材の前記貫通四角形カットを通り抜けるように案内され、これら保持タブが元の位置に戻ると、それらの保持エッジが、管状の前記雌結合部材の貫通四角形カットの内側面でロックされ、管状の雄結合部材が外れる、または上下に後退することを防ぐ、スナップ結合システム。
【手続補正２】
【補正対象書類名】図面
【補正対象項目名】図１Ｃ
【補正方法】変更
【補正の内容】
【図１Ｃ】
2013540970.tif 000001
【手続補正３】
【補正対象書類名】図面
【補正対象項目名】図２
【補正方法】変更
【補正の内容】
【図２】
2013540970.tif 000002
【手続補正４】
【補正対象書類名】図面
【補正対象項目名】図２Ａ
【補正方法】変更
【補正の内容】
【図２Ａ】
2013540970.tif 000003
【手続補正５】
【補正対象書類名】図面
【補正対象項目名】図２Ｂ
【補正方法】変更
【補正の内容】
【図２Ｂ】
2013540970.tif 000004
【手続補正６】
【補正対象書類名】図面
【補正対象項目名】図３Ａ
【補正方法】変更
【補正の内容】
【図３Ａ】
2013540970.tif 000005
【手続補正７】
【補正対象書類名】図面
【補正対象項目名】図３Ｂ
【補正方法】変更
【補正の内容】
【図３Ｂ】
2013540970.tif 000006
【手続補正８】
【補正対象書類名】図面
【補正対象項目名】図４Ａ
【補正方法】変更
【補正の内容】
【図４Ａ】
2013540970.tif 000007
【手続補正９】
【補正対象書類名】図面
【補正対象項目名】図４Ｂ
【補正方法】変更
【補正の内容】
【図４Ｂ】
2013540970.tif 000008
【手続補正１０】
【補正対象書類名】図面
【補正対象項目名】図７
【補正方法】変更
【補正の内容】
【図７】
2013540970.tif 000009
【手続補正１１】
【補正対象書類名】図面
【補正対象項目名】図１０Ｂ
【補正方法】変更
【補正の内容】
【図１０Ｂ】
2013540970.tif 000010
【手続補正１２】
【補正対象書類名】図面
【補正対象項目名】図１１Ａ
【補正方法】変更
【補正の内容】
【図１１Ａ】
2013540970.tif 000011